(57)【特許請求の範囲】
【請求項１】
前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記棚枠は、略コ字状に形成したコーナー部の内周面を欠除して開口部を形成した乾燥機等の設置台。
【請求項２】
前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記棚板は、乾燥機等の機器を固定する複数個の取付穴を有する取付面と、この取付面に連なり下方に折曲げ形成され棚枠の内周面に当接する固定片部と、この固定片部の先に前記棚枠の下面に当接するよう設けた下部折曲部とを備え、前記棚枠のコーナー部の内周面および下面を前記棚板で覆うように構成した乾燥機等の設置台。
【請求項３】
前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記棚板は、乾燥機等の機器を固定する複数個の取付穴を有する取付面と、この取付面に連なり下方に折曲げ形成され棚枠の内周面に当接する固定片部と、この固定片部の先に前記棚枠の下面に当接するよう設けた下部折曲部とを備え、前記下部折曲部の先端部を前記棚枠の下面の開口部内方に収設するように構成した乾燥機等の設置台。
【請求項４】
前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記棚板は、乾燥機等の機器の取付面を前記棚枠の上面より低く位置するように構成した乾燥機等の設置台。
【請求項５】
前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記継ぎ板は、上端部に折曲部を有する固定片部を延設し、前記折曲部にて棚部下面を当接支持し、前記固定片部にて前記棚部外面より前記棚枠を保持し、前記継ぎ板と棚部を螺合締結するように構成した乾燥機等の設置台。
【請求項６】
前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記継ぎ板は、上端後面に後方に折曲げたフック部を延設し、このフック部を前記棚枠の両端部を覆うように連結固定した後桟に設けた保持穴に係合し、前記棚部を前記フック部と継ぎ板上端にて保持するように構成した乾燥機等の設置台。
【請求項７】
前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記支柱部は、略矩形断面形状で開口した一端を塞ぐように折曲部を延設して脚部に設けた挿嵌穴に挿嵌し、略Ｌ字状補強板を前記脚部の開口下面と後端面を覆うよう脚部に外嵌合して設け、前記支柱部を脚部の両側面と補強板を貫通して前記脚部下面および後面との４方向より螺合により脚部と結合するように構成した乾燥機等の設置台。
【請求項８】
前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記脚部の下面に螺合した調整脚と、前記脚部の内周面に係合し前記脚部の前端開口部を嵌合封止するキャップとを備え、前記キャップの長手方向に延設したフランジに穴部を設け、前記調整脚のねじ先端を前記穴部に係合するように構成した乾燥機等の設置台。
【請求項９】
前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記脚部の下面に固着し調整脚を螺合した調整脚板と、前記脚部の内周面に係合し前記脚部の前端開口部を嵌合封止するキャップとを備え、前記キャップの長手方向に延設したフランジに穴部を設け、前記脚部の下面に設けた角穴に前記調整脚板の略Ｌ字状に延設した取付爪部を係止するとともに、前記調整脚板に螺合し貫通した前記調整脚のねじ部の先端を前記穴部に係合するように構成した乾燥機等の設置台。
【発明の詳細な説明】
【０００１】
【発明の属する技術分野】
本発明は、乾燥機等の機器を設置する設置台に関するものである。
【０００２】
【従来の技術】
従来、この種の設置台は図１２および図１３に示すように構成していた。以下、その構成について説明する。
【０００３】
図に示すように、スタンド部１は、角材よりなる脚部２と支柱部３とを溶接のみによる結合あるいは溶接と螺合の併用により結合し、左右一対に設けている。脚部２に脚ゴム４と調整脚５を取り付け、前端の開口部に、脚部２下面に設けた係止穴６に嵌合する突起７にてキャップ８を固着している。
【０００４】
支柱部３の上部に継ぎ板９を挿嵌し、この継ぎ板９は複数個のねじ穴位置により高さが調整可能なように支柱部３にねじにて固定されている。棚枠１０は角材からなり、支柱部３に挿嵌固定した継ぎ板９に溶接のみによる結合あるいは溶接と螺合の併用により結合固定し、後棚１１および前棚１２を取り付けている。また、棚枠１０には乾燥機設置固定用の取り付け穴を設けた棚板１３を固着している。横桟１４は、２本の帯状部材の中央部をねじ止めしてｘ状に構成し、かつ各々の端部を支柱部３にねじ止めしている。
【０００５】
この種の設置台は、棚枠１０に取り付けた棚板１３の上面に乾燥機を載置し、スタンド部１の間に洗濯機を設置してランドリーユニットとして使用する。このため、腐食による破壊を防ぐために、各構成部材は塗装による表面処理が施されている。
【０００６】
【発明が解決しようとする課題】
このような従来の構成では、脚部２、支柱部３、棚枠１０などは、フォーミング加工しシーム溶接などを施した角材を部材として構成しているため、穴加工などの後加工が必要となり、一貫した量産性に欠けることとなり、コストを高くするという問題を有していた。
【０００７】
また、シーム溶接などを施して閉じた断面形状とした角材にて構成しない場合、衣類乾燥機内の衣類の回転で、乾燥機本体が振動することで設置台が揺れるのを防止するために、構成部材の板厚を厚くするなどの対応が必要であった。
【０００８】
また、脚部２の前端開口部を保護、封止する樹脂よりなるキャップ８は、外観上支障をきたさない脚部２の下面だけしか係止部を設けることができないため、係止力が弱く、外れ易いという問題を有していた。
【０００９】
本発明は上記従来の課題を解決するもので、板厚などを上げることなく加工性に優れた構成部材により強度が得られる締結を確保し、揺れを防止する剛性の高い乾燥機等の設置台を提供することを第１の目的としている。
【００１０】
また、脚部の前端開口部に取り付けたキャップが簡単に外れないようにすることを第２の目的としている。
【００１１】
【課題を解決するための手段】
本発明の乾燥機等の設置台における第１の手段は、前端部にキャップを嵌合した脚部に一端を固着した支柱部の他端に継ぎ板を出し入れ自在に遊嵌して螺合して左右一対のスタンド部を形成し、継ぎ板に棚部を螺合締結し、支柱部は、ロールフォーミング加工により略矩形断面形状に形成し、脚部は、ロールフォーミング加工により矩形の一辺を切り離し端部を内方に屈曲させた断面形状に形成するとともに切り離された矩形の一辺に補強板を固着し、棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記棚枠は、略コ字状に形成したコーナー部の内周面を欠除して開口部を形成したものである。
【００１２】
これにより、板厚などを上げることなく、加工性に優れた構成部材により強度が得られる締結を確保し、揺れを防止する剛性の高い乾燥機等の設置台を提供することができる。
【００１３】
また、本発明の乾燥機等の設置台における第２の手段は、前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記脚部の下面に調整脚を螺合し、脚部の前端開口部を嵌合封止するキャップを脚部の内周面に係合し、キャップの長手方向に延設したフランジに穴部を設け、前記調整脚のねじ先端を穴部に係合するように構成したものである。
【００１４】
これにより、脚部の前端開口部に取り付けたキャップは、キャップのフランジに設けた穴部に調整脚のねじの先端を係合しているため、簡単に外れないようにすることができる。
【００１５】
【発明の実施の形態】
本発明の請求項１に記載の発明は、前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記棚枠は、略コ字状に形成したコーナー部の内周面を欠除して開口部を形成したものであり、スタンド部を構成する脚部と支柱部および棚部を構成する棚枠をロールフォーミング加工により形成することによって、それぞれの板厚をあげることなく、またシーム溶接などを施すことなく必要な機械的強度を得ることができ、揺れを防止することができる。また、各部材を螺合のみにより締結することができ、加工、組立の各工程においての取扱い、搬送も部品単体にて可能となり、ユニット状態の大きな部材の搬送が不必要となり、作業性が低下するのを防止することができ、さらに、分解性を向上できてリサイクル性を容易にし、環境に対する配慮された構成を実現することができるとともに、コーナー部の内周面に開口部を形成することによって、ロールフォーミング加工により矩形の一辺を切り離し端部を内方に屈曲させた断面形状を有する角材を略コ字状に曲げることができ、表面の傷や変形の生じることのない曲げ加工を可能とし、略コ字状の棚枠を形成することができる。
【００１６】
請求項２に記載の発明は、前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記棚板は、乾燥機等の機器を固定する複数個の取付穴を有する取付面と、この取付面に連なり下方に折曲げ形成され棚枠の内周面に当接する固定片部と、この固定片部の先に棚枠の下面に当接するよう設けた下部折曲部とを備え、前記棚枠のコーナー部の内周面および下面を前記棚板で覆うように構成したものであり、スタンド部を構成する脚部と支柱部および棚部を構成する棚枠をロールフォーミング加工により形成することによって、それぞれの板厚をあげることなく、またシーム溶接などを施すことなく必要な機械的強度を得ることができ、揺れを防止することができる。また、各部材を螺合のみにより締結することができ、加工、組立の各工程においての取扱い、搬送も部品単体にて可能となり、ユニット状態の大きな部材の搬送が不必要となり、作業性が低下するのを防止することができ、さらに、分解性を向上できてリサイクル性を容易にし、環境に対する配慮された構成を実現することができ、また、棚枠は、ロールフォーミング加工と曲げ加工を施すため、これらの加工の際に鋭利な金属端面が発生するが、棚枠の内周面に当接する固定片部と、棚枠の下面に当接する下部折曲部とを棚板に設け、棚枠のコーナー部の内周面および下面を棚板で覆うことによって、鋭利な金属端面に人が手に触れることがないようにでき、安全な棚部を構成することができるとともに、棚板と棚枠の係合により強度を高めた棚部を実現することができる。
【００１７】
請求項３に記載の発明は、前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記棚板は、乾燥機等の機器を固定する複数個の取付穴を有する取付面と、この取付面に連なり下方に折曲げ形成され棚枠の内周面に当接する固定片部と、この固定片部の先に前記棚枠の下面に当接するよう設けた下部折曲部とを備え、前記下部折曲部の先端部を前記棚枠の下面の開口部内方に収設するように構成したものであり、スタンド部を構成する脚部と支柱部および棚部を構成する棚枠をロールフォーミング加工により形成することによって、それぞれの板厚をあげることなく、またシーム溶接などを施すことなく必要な機械的強度を得ることができ、揺れを防止することができる。また、各部材を螺合のみにより締結することができ、加工、組立の各工程においての取扱い、搬送も部品単体にて可能となり、ユニット状態の大きな部材の搬送が不必要となり、作業性が低下するのを防止することができ、さらに、分解性を向上できてリサイクル性を容易にし、環境に対する配慮された構成を実現することができ、また、乾燥機等の機器を設置した状態で、人が手に触れることになる棚部下面の棚板の端面を断面小なるロールフォーミング加工により形成される開口部に収設することにより、安全な棚部を構成することができるとともに、棚板と棚枠の係合により強度を高めた棚部を実現することができる。
【００１８】
請求項４に記載の発明は、前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記棚板は、乾燥機等の機器の取付面を前記棚枠の上面より低く位置するように構成したものであり、スタンド部を構成する脚部と支柱部および棚部を構成する棚枠をロールフォーミング加工により形成することによって、それぞれの板厚をあげることなく、またシーム溶接などを施すことなく必要な機械的強度を得ることができ、揺れを防止することができる。また、各部材を螺合のみにより締結することができ、加工、組立の各工程においての取扱い、搬送も部品単体にて可能となり、ユニット状態の大きな部材の搬送が不必要となり、作業性が低下するのを防止することができ、さらに、分解性を向上できてリサイクル性を容易にし、環境に対する配慮された構成を実現することができるとともに、乾燥機等の機器を固定したとき、棚枠により位置規制され、設置固定する乾燥機等の機器の振動を低減することができる。
【００１９】
請求項５に記載の発明は、前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記継ぎ板は、上端部に折曲部を有する固定片部を延設し、前記折曲部にて棚部下面を当接支持し、前記固定片部にて前記棚部外面より前記棚枠を保持し、前記継ぎ板と棚部を螺合締結するように構成したものであり、スタンド部を構成する脚部と支柱部および棚部を構成する棚枠をロールフォーミング加工により形成することによって、それぞれの板厚をあげることなく、またシーム溶接などを施すことなく必要な機械的強度を得ることができ、揺れを防止することができる。また、各部材を螺合のみにより締結することができ、加工、組立の各工程においての取扱い、搬送も部品単体にて可能となり、ユニット状態の大きな部材の搬送が不必要となり、作業性が低下するのを防止することができ、さらに、分解性を向上できてリサイクル性を容易にし、環境に対する配慮された構成を実現することができるとともに、継ぎ板と棚部とをねじ締結のみによる固定であっても強度を確保することができ、容易に組み立てることができる。
【００２０】
請求項６に記載の発明は、前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記継ぎ板は、上端後面に後方に折曲げたフック部を延設し、このフック部を前記棚枠の両端部を覆うように連結固定した後桟に設けた保持穴に係合し、前記棚部を前記フック部と継ぎ板上端にて保持するように構成したものであり、スタンド部を構成する脚部と支柱部および棚部を構成する棚枠をロールフォーミング加工により形成することによって、それぞれの板厚をあげることなく、またシーム溶接などを施すことなく必要な機械的強度を得ることができ、揺れを防止することができる。また、各部材を螺合のみにより締結することができ、加工、組立の各工程においての取扱い、搬送も部品単体にて可能となり、ユニット状態の大きな部材の搬送が不必要となり、作業性が低下するのを防止することができ、さらに、分解性を向上できてリサイクル性を容易にし、環境に対する配慮された構成を実現することができるとともに、設置台を組み上げていく過程において、スタンド部と棚部をねじなしの状態にて仮固定可能とすることができ、容易に組み立てることができる。
【００２１】
請求項７に記載の発明は、前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記支柱部は、略矩形断面形状で開口した一端を塞ぐように折曲部を延設して脚部に設けた挿嵌穴に挿嵌し、略Ｌ字状補強板を前記脚部の開口下面と後端面を覆うよう脚部に外嵌合して設け、前記支柱部を脚部の両側面と補強板を貫通して前記脚部下面および後面との４方向より螺合により脚部と結合するように構成したものであり、スタンド部を構成する脚部と支柱部および棚部を構成する棚枠をロールフォーミング加工により形成することによって、それぞれの板厚をあげることなく、またシーム溶接などを施すことなく必要な機械的強度を得ることができ、揺れを防止することができる。また、各部材を螺合のみにより締結することができ、加工、組立の各工程においての取扱い、搬送も部品単体にて可能となり、ユニット状態の大きな部材の搬送が不必要となり、作業性が低下するのを防止することができ、さらに、分解性を向上できてリサイクル性を容易にし、環境に対する配慮された構成を実現することができ、また、ロールフォーミング加工により形成し開口部を有する脚部を補強することができるとともに、脚部と支柱部の固定を前後左右の変位が少ない強固な締結とすることができる。
【００２２】
請求項８に記載の発明は、前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記脚部の下面に螺合した調整脚と、前記脚部の内周面に係合し前記脚部の前端開口部を嵌合封止するキャップとを備え、前記キャップの長手方向に延設したフランジに穴部を設け、前記調整脚のねじ先端を前記穴部に係合するように構成したものであり、スタンド部を構成する脚部と支柱部および棚部を構成する棚枠をロールフォーミング加工により形成することによって、それぞれの板厚をあげることなく、またシーム溶接などを施すことなく必要な機械的強度を得ることができ、揺れを防止することができる。また、各部材を螺合のみにより締結することができ、加工、組立の各工程においての取扱い、搬送も部品単体にて可能となり、ユニット状態の大きな部材の搬送が不必要となり、作業性が低下するのを防止することができ、さらに、分解性を向上できてリサイクル性を容易にし、環境に対する配慮された構成を実現することができるとともに、脚部の前端の鋭利な金属端面を有する開口部を封止するキャップを、同じく脚部に固着する調整脚を利用して保持することができ、キャップの抜けを防止することができる。
【００２３】
請求項９に記載の発明は、前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記脚部の下面に固着し調整脚を螺合した調整脚板と、前記脚部の内周面に係合し前記脚部の前端開口部を嵌合封止するキャップとを備え、前記キャップの長手方向に延設したフランジに穴部を設け、前記脚部の下面に設けた角穴に前記調整脚板の略Ｌ字状に延設した取付爪部を係止するとともに、前記調整脚板に螺合し貫通した前記調整脚のねじ部の先端を前記穴部に係合するように構成したものであり、スタンド部を構成する脚部と支柱部および棚部を構成する棚枠をロールフォーミング加工により形成することによって、それぞれの板厚をあげることなく、またシーム溶接などを施すことなく必要な機械的強度を得ることができ、揺れを防止することができる。また、各部材を螺合のみにより締結することができ、加工、組立の各工程においての取扱い、搬送も部品単体にて可能となり、ユニット状態の大きな部材の搬送が不必要となり、作業性が低下するのを防止することができ、さらに、分解性を向上できてリサイクル性を容易にし、環境に対する配慮された構成を実現することができるとともに、調整脚板によりロールフォーミング加工により形成される開口部を有する脚部の補強を兼ねねことができ、調整脚を螺合する調整脚板を爪部係合のみにて固定することができ、かつ脚部前端の鋭利な金属端面開口部を封止するキャップの固定も兼ねた構成を可能とすることができる。
【００２４】
【実施例】
以下、本発明の実施例について、図面を参照しながら説明する。
【００２５】
（実施例１）
図１および図２に示すように、スタンド部１５は、支柱部１６の一端１６ａを脚部１７の挿嵌穴１８に挿嵌し螺合締結し、他端１６ｂに継ぎ板１９を出し入れ自在に遊嵌して螺合し、略Ｌ字状に形成して左右一対に設けている。支柱部１６は、ロールフォーミング加工により略矩形断面形状に形成し、脚部１７は、ロールフォーミング加工により矩形の一辺を切り離し端部を内方に屈曲させた断面形状に形成している。
【００２６】
継ぎ板１９に設けた複数個のねじ穴２０と支柱部１６の上側部に設けたねじ穴２１との組み合わせにより、継ぎ板１９は高さが調整可能なように支柱部１６にねじ２２にて固定している。棚部２３は、継ぎ板１９に螺合締結し、ロールフォーミング加工により矩形の一辺を切り離し端部を内方に屈曲させた断面形状を有し略コ字状に形成した棚枠２４と、この棚枠２４に固着され乾燥機等の機器の取付穴２５を有する棚板２６と、棚枠２４の開放部側を連結固定した後桟２７とで構成している。横桟部２８は、左右のスタンド部１５を連結固定するものである。
【００２７】
脚部１７のロールフォーミング加工の金属端面となる前端開口部１７ａはキャップ２９を嵌合し封止し、脚部１７の下面に調整脚板３０を介して調整脚３１を取り付けている。脚部１７の後端部１７ｃには、脚ゴム３２を固着した略Ｌ字状補強板３３を脚部１７の開口下面と後端面１７ｃを覆うよう脚部１７に外嵌合して設けている。調整脚板３０と略Ｌ字状補強板３３の脚部１７の開口下面を覆う部分とは、ロールフォーミング加工により矩形の一辺を切り離し端部を内方に屈曲させた断面形状に形成した脚部１７の切り離された矩形の一辺を補強する補強板を構成している。
【００２８】
上記構成において作用を説明すると、スタンド部１５を構成する脚部１７と支柱部１６および棚部２３を構成する棚枠２４をロールフォーミング加工により形成することによって、それぞれの板厚をあげることなく、またシーム溶接などを施すことなく必要な機械的強度を得ることができ、各部材を螺合のみにより締結することができ、分解性を向上できてリサイクル性を容易にし、環境に対する配慮された構成を実現することができる。
【００２９】
（実施例２）
図３に示すように、棚枠２４は、矩形の一辺を切り離し端部を内方に屈曲させた断面形状にロールフォーミング加工した略角材を曲げるコーナー部を欠除して開口部２４ａを形成し、略コの字形状に曲げている。棚板２６には、図４に示すように、乾燥機等の機器を固定する複数個の取付穴２５を有する取付面３４と、この取付面３４に連なり下方に折曲げ形成された横固定片部３５ａと前固定片部３５ｂを延設し、この固定片部３５ａ、３５ｂの先には棚枠２４の下面２４ｄに当接するよう下部折曲部３６ａ、３６ｂを設けるとともに、この下部折曲部３６ａ、３６ｂの先端部３７ａ、３７ｂは棚枠２４の下面の開口部２４ｂの内方に収設するように形成している。
【００３０】
また、図５に示すように、横固定片部３５ａと前固定片部３５ｂの長さをＡを棚枠２４の内周面２４ｃの幅Ｂより短く設定し、棚板２６の取付面３４を棚枠２４の上面２４ｅよりｄだけ低く位置するように構成している。他の構成は上記実施例１と同じである。
【００３１】
上記構成において作用を説明すると、棚枠２４のコーナー部の内周面に開口部２４ａを形成することによって、ロールフォーミング加工により矩形の一辺を切り離し端部を内方に屈曲させた断面形状を有する角材を略コ字状に曲げることができ、表面の傷や変形の生じることのない曲げ加工が可能となり、略コ字状の棚枠２４を形成することができる。
【００３２】
また、棚枠２４は、ロールフォーミング加工と曲げ加工を施すため、これらの加工の際に鋭利な金属端面が発生するが、棚枠２４の内周面２４ｃに当接するように棚板２６を固定することにより、棚枠２４を略コ字状に曲げるために形成した開口部２４ａと矩形の一辺を切り離し端部を内方に屈曲させた開口部２４ｂを覆うことができ、鋭利な金属端面に人が手に触れることがないようにでき、安全な棚部を構成することができるとともに、棚板２６と棚枠２４の係合により棚部２３の強度を高めることができる。
【００３３】
また、棚板２６は、乾燥機等の機器の取付面３４を棚枠２４の上面２４ｅより低く位置するように構成することにより、乾燥機等の機器を固定したとき、棚枠２４により位置規制され、設置固定する乾燥機等の機器の振動を低減することができる。
【００３４】
なお、上記実施例では、固定片部３５ａ、３５ｂの先端に棚枠２４の下面２４ｄに当接するよう下部折曲部３６ａ、３６ｂを設けるとともに、この下部折曲部の先端部３７ａ、３７ｂを棚枠２４の下面の開口部２４ｂの内方に収設するように構成しているが、図６に示すように、棚板２６の横固定片部３５ａと前固定片部３５ｂの先端に棚枠２４の下面２４ｄに当接する下部折曲部３６ａ、３６ｂを設け、棚枠２４の内周面２４ｃに固定することにより、棚枠２４を略コ字状に曲げるために形成した開口部２４ａと矩形の一辺を切り離し端部を内方に屈曲させた開口部２４ｂを有する下面２４ｄを覆うようにしてもよい。
【００３５】
（実施例３）
図７に示すように、継ぎ板１９は、上端部に外方に折曲げた折曲部３８ａを有する固定片部３８を延設し、折曲部３８ａにて棚枠２４の下面を当接支持し、固定片部３８にて棚枠２４の外面より保持し、棚部２３を継ぎ板１９に螺合し固定している。また、図８に示すように、継ぎ板１９の上端後面に後方に折曲げたフック部３９を延設し、棚部２３のロールフォーミング加工した棚枠２４の両開口端部２４ｆを覆うように連結固定した後桟２７に設けた保持穴４０にフック部３９を係合し、棚部２３をフック部３９と継ぎ板１９の上端または折曲部３８ａにて係止するように構成している。他の構成は上記実施例１と同じである。
【００３６】
上記構成において作用を説明すると、継ぎ板１９の上端部に折曲部３８ａを有する固定片部３８を延設し、折曲部３８ａにて棚枠２４の下面を当接支持し、固定片部３８にて棚枠２４の外面より保持することにより、継ぎ板１９と棚枠２４とをねじ締結のみによる固定であっても強度を確保することができ、容易に組み立てることができる。
【００３７】
また、継ぎ板１９の上端後面に後方に折曲げたフック部３９を延設し、このフック３９部を棚枠２４の両端部を覆うように連結固定した後桟２７に設けた保持４０穴に係合し、棚枠２４をフック部３９と継ぎ板１９の上端にて保持することにより、設置台を組み上げていく過程において、スタンド部１５と棚部２３をねじなしの状態にて仮固定可能とすることができ、容易に組み立てることができる。
【００３８】
（実施例４）
図９に示すように、支柱部１６は、略矩形断面形状で開口した一端を塞ぐように折曲部４１を延設して脚部１７に設けた挿嵌穴１８に挿嵌し、略Ｌ字状補強板３３を脚部１７の開口下面と後端面を覆うよう脚部１７に外嵌合して設け、支柱部１６を脚部１７の両側面と補強板３３を貫通して脚部１７の下面および後面との４方向より脚部１７に螺合締結している。他の構成は上記実施例１と同じである。
【００３９】
上記構成において作用を説明すると、支柱部１６に折曲部４１を延設して脚部１７に設けた挿嵌穴１８に挿嵌し、脚部１７の両側面と略Ｌ字状補強板３３を貫通して脚部１７の下面および後面との４方向より螺合により支柱部１６を脚部１７と結合することにより、ロールフォーミング加工により形成し開口部を有する脚部１７を補強することができるとともに、脚部１７と支柱部１６の固定を前後左右の変位が少ない強固な締結とすることができる。
【００４０】
（実施例５）
図１０に示すように、脚部１７は、ロールフォーミング加工の金属端面となる前端開口部１７ａにキャップ２９を嵌合し、封止している。このキャップ２９は、脚部１７の内周面に係合し、脚部１７の長手方向に延設したフランジ２９ａに穴部２９ｂを設けている。調整脚板３０は、調整脚３１を螺合するねじ部３０ａを設けるとともに、キャップ２９の方向に略Ｌ字状に取付爪部４２を延設している。この取付爪部４２を脚部１７の切り離された矩形の一辺となる下面１７ｂに設けた角穴４３に係止しするとともに、調整脚３１を調整脚ねじ部３１ａにて調整脚板３０のねじ部３０ａに螺合し、貫通した調整脚ねじ部３１ａの先端を穴部２９ｂに係合し固定する。他の構成は上記実施例１と同じである。
【００４１】
上記構成において作用を説明すると、キャップ２９が外れる方向に移動すれば、調整脚ねじ部３１ａを介して調整脚３１を前側に移動させようとするが、角穴４３にて規制されるため、キャップ２９は外れることがない。同様に、取付爪部４２にて係止されているのみであるが、調整脚３１が外れる方向に移動した場合も、調整脚ねじ部３１ａを介してキャップ２９を移動させようとするが、前端開口部１７ａで規制されるため外れない。
【００４２】
なお、上記実施例では、調整脚３１を螺合するねじ部３０ａを設けた調整脚板３０を脚部１７の下面１７ｂに係止するとともに、調整脚３１を調整脚ねじ部３１ａにて調整脚板３０のねじ部３０ａに螺合し貫通しているが、図１１に示すように、角材などにて構成した脚部４４に直接ねじ部４４ａを設け、調整脚３１の調整脚ねじ部３１ａを螺合し、キャップ２９に延設したフランジ２９ａ設けた穴部２９ｂに貫通するようにしてもよい。
【００４３】
【発明の効果】
以上のように本発明の請求項１に記載の発明によれば、前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記棚枠は、略コ字状に形成したコーナー部の内周面を欠除して開口部を形成したから、スタンド部を構成する脚部と支柱部および棚部を構成する棚枠をロールフォーミング加工により形成することによって、それぞれの板厚をあげることなく、またシーム溶接などを施すことなく必要な機械的強度を得ることができ、揺れを防止することができる。また、各部材を螺合のみにより締結することができ、加工、組立の各工程においての取扱い、搬送も部品単体にて可能となり、ユニット状態の大きな部材の搬送が不必要となり、作業性が低下するのを防止することができ、さらに、分解性を向上できてリサイクル性を容易にし、環境に対する配慮された構成を実現することができるとともに、コーナー部の内周面に開口部を形成することによって、ロールフォーミング加工により矩形の一辺を切り離し端部を内方に屈曲させた断面形状を有する角材を略コ字状に曲げることができ、表面の傷や変形の生じることのない曲げ加工をすることができ、部品点数を削減することができ、組立性を容易にすることができる。
【００４４】
また、請求項２に記載の発明によれば、前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記棚板は、乾燥機等の機器を固定する複数個の取付穴を有する取付面と、この取付面に連なり下方に折曲げ形成され棚枠の内周面に当接する固定片部と、この固定片部の先に前記棚枠の下面に当接するよう設けた下部折曲部とを備え、前記棚枠のコーナー部の内周面および下面を前記棚板で覆うように構成したから、スタンド部を構成する脚部と支柱部および棚部を構成する棚枠をロールフォーミング加工により形成することによって、それぞれの板厚をあげることなく、またシーム溶接などを施すことなく必要な機械的強度を得ることができ、揺れを防止することができる。また、各部材を螺合のみにより締結することができ、加工、組立の各工程においての取扱い、搬送も部品単体にて可能となり、ユニット状態の大きな部材の搬送が不必要となり、作業性が低下するのを防止することができ、さらに、分解性を向上できてリサイクル性を容易にし、環境に対する配慮された構成を実現することができるとともに、棚枠のコーナー部の内周面および下面を棚板で覆うことによって、ロールフォーミング加工のときに発生した鋭利な金属端面に人が手に触れることがないようにでき、安全な棚部を構成することができるとともに、棚板と棚枠の係合により強度を高めることができ、構成する部材の板厚を高めることなく、衣類乾燥機内の衣類の回転により、乾燥機本体が振動することで設置台が揺れるのを防止することができる。
【００４５】
また、請求項３に記載の発明によれば、前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記棚板は、乾燥機等の機器を固定する複数個の取付穴を有する取付面と、この取付面に連なり下方に折曲げ形成され棚枠の内周面に当接する固定片部と、この固定片部の先に前記棚枠の下面に当接するよう設けた下部折曲部とを備え、前記下部折曲部の先端部を前記棚枠の下面の開口部内方に収設するように構成したから、スタンド部を構成する脚部と支柱部および棚部を構成する棚枠をロールフォーミング加工により形成することによって、それぞれの板厚をあげることなく、またシーム溶接などを施すことなく必要な機械的強度を得ることができ、揺れを防止することができる。また、各部材を螺合のみにより締結することができ、加工、組立の各工程においての取扱い、搬送も部品単体にて可能となり、ユニット状態の大きな部材の搬送が不必要となり、作業性が低下するのを防止することができ、さらに、分解性を向上できてリサイクル性を容易にし、環境に対する配慮された構成を実現することができ、また、乾燥機等の機器を設置した状態で、人が手に触れることになる棚部下面の棚板の端面を断面小なるロールフォーミング加工により形成される開口部に収設することにより、安全な棚部を構成することができるとともに、棚板と棚枠の係合により強度を高めることができ、構成する部材の板厚を高めることなく、衣類乾燥機内の衣類の回転により乾燥機本体が振動することで設置台が揺れるのを防止できるとともに、棚板端面をカールしたりあるいは塗装したりする処理加工を必要とせず、組立部品の係合にて端面を保護することができ、きわめて安価に鋭利な金属端面を人が手に触れることがないよう安全な棚部を提供することができる。
【００４６】
また、請求項４に記載の発明によれば、前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記棚板は、乾燥機等の機器の取付面を前記棚枠の上面より低く位置するように構成したから、スタンド部を構成する脚部と支柱部および棚部を構成する棚枠をロールフォーミング加工により形成することによって、それぞれの板厚をあげることなく、またシーム溶接などを施すことなく必要な機械的強度を得ることができ、揺れを防止することができる。また、各部材を螺合のみにより締結することができ、加工、組立の各工程においての取扱い、搬送も部品単体にて可能となり、ユニット状態の大きな部材の搬送が不必要となり、作業性が低下するのを防止することができ、さらに、分解性を向上できてリサイクル性を容易にし、環境に対する配慮された構成を実現することができるとともに、乾燥機等の機器をねじにて固定したとき、棚枠により位置規制され、乾燥機本体の下面部の変位および設置台の取付面の変位を設置時に付勢することができ、設置固定する乾燥機等の機器の振動を低減することができる。
【００４７】
また、請求項５に記載の発明によれば、前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記継ぎ板は、上端部に折曲部を有する固定片部を延設し、前記折曲部にて棚部下面を当接支持し、前記固定片部にて前記棚部外面より前記棚枠を保持し、前記継ぎ板と棚部を螺合締結するように構成したから、スタンド部を構成する脚部と支柱部および棚部を構成する棚枠をロールフォーミング加工により形成することによって、それぞれの板厚をあげることなく、またシーム溶接などを施すことなく必要な機械的強度を得ることができ、揺れを防止することができる。また、各部材を螺合のみにより締結することができ、加工、組立の各工程においての取扱い、搬送も部品単体にて可能となり、ユニット状態の大きな部材の搬送が不必要となり、作業性が低下するのを防止することができ、さらに、分解性を向上できてリサイクル性を容易にし、環境に対する配慮された構成を実現することができるとともに、継ぎ板と棚部とをねじ締結のみによる固定であっても強度を確保することができ、容易に組み立てることができる。
【００４８】
また、請求項６に記載の発明によれば、前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記継ぎ板は、上端後面に後方に折曲げたフック部を延設し、このフック部を前記棚枠の両端部を覆うように連結固定した後桟に設けた保持穴に係合し、前記棚部を前記フック部と継ぎ板上端にて保持するように構成したから、スタンド部を構成する脚部と支柱部および棚部を構成する棚枠をロールフォーミング加工により形成することによって、それぞれの板厚をあげることなく、またシーム溶接などを施すことなく必要な機械的強度を得ることができ、揺れを防止することができる。また、各部材を螺合のみにより締結することができ、加工、組立の各工程においての取扱い、搬送も部品単体にて可能となり、ユニット状態の大きな部材の搬送が不必要となり、作業性が低下するのを防止することができ、さらに、分解性を向上できてリサイクル性を容易にし、環境に対する配慮された構成を実現することができるとともに、設置台を組み上げていく過程において、スタンド部と棚部をねじなしの状態にて仮固定可能とすることができ、容易に組み立てることができる。
【００４９】
また、請求項７に記載の発明によれば、前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記支柱部は、略矩形断面形状で開口した一端を塞ぐように折曲部を延設して脚部に設けた挿嵌穴に挿嵌し、略Ｌ字状補強板を前記脚部の開口下面と後端面を覆うよう脚部に外嵌合して設け、前記支柱部を脚部の両側面と補強板を貫通して前記脚部下面および後面との４方向より螺合により脚部と結合するように構成したから、スタンド部を構成する脚部と支柱部および棚部を構成する棚枠をロールフォーミング加工により形成することによって、それぞれの板厚をあげることなく、またシーム溶接などを施すことなく必要な機械的強度を得ることができ、揺れを防止することができる。また、各部材を螺合のみにより締結することができ、加工、組立の各工程においての取扱い、搬送も部品単体にて可能となり、ユニット状態の大きな部材の搬送が不必要となり、作業性が低下するのを防止することができ、さらに、分解性を向上できてリサイクル性を容易にし、環境に対する配慮された構成を実現することができ、また、ロールフォーミング加工により形成し開口部を有する脚部を補強することができるとともに、脚部と支柱部の固定を前後左右の変位が少ない強固な締結とすることができる。
【００５０】
また、請求項８に記載の発明によれば、前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記脚部の下面に螺合した調整脚と、前記脚部の内周面に係合し前記脚部の前端開口部を嵌合封止するキャップとを備え、前記キャップの長手方向に延設したフランジに穴部を設け、前記調整脚のねじ先端を前記穴部に係合するように構成したから、スタンド部を構成する脚部と支柱部および棚部を構成する棚枠をロールフォーミング加工により形成することによって、それぞれの板厚をあげることなく、またシーム溶接などを施すことなく必要な機械的強度を得ることができ、揺れを防止することができる。また、各部材を螺合のみにより締結することができ、加工、組立の各工程においての取扱い、搬送も部品単体にて可能となり、ユニット状態の大きな部材の搬送が不必要となり、作業性が低下するのを防止することができ、さらに、分解性を向上できてリサイクル性を容易にし、環境に対する配慮された構成を実現することができるとともに、脚部の前端の鋭利な金属端面を有する開口部を封止するキャップを、同じく脚部に固着する調整脚を利用して保持することができ、キャップの抜けを防止することができる。
【００５１】
また、請求項９に記載の発明によれば、前端部にキャップを嵌合した脚部に一端を固着した支柱部の他端に継ぎ板を出し入れ自在に遊嵌して螺合した左右一対のスタンド部と、前記左右のスタンド部を連結固定する横桟部と、前記継ぎ板に螺合締結した棚部とを備え、前記支柱部は、ロールフォーミング加工により略矩形断面形状に形成し、前記脚部は、ロールフォーミング加工により矩形の一辺を切り離し端部を内方に屈曲させた断面形状に形成するとともに切り離された矩形の一辺に補強板を固着し、前記棚部は、ロールフォーミング加工により矩形の一辺を切り離し端部を内方に屈曲させた断面形状を有し略コ字状に形成した棚枠と、この棚枠に固着され乾燥機等の機器の取付穴を有する棚板と、前記棚枠の開放部側を連結固定した後桟とで構成し、前記脚部の下面に固着し調整脚を螺合した調整脚板と、前記脚部の内周面に係合し前記脚部の前端開口部を嵌合封止するキャップとを備え、前記キャップの長手方向に延設したフランジに穴部を設け、前記脚部の下面に設けた角穴に前記調整脚板の略Ｌ字状に延設した取付爪部を係止するとともに、前記調整脚板に螺合し貫通した前記調整脚のねじ部の先端を前記穴部に係合するように構成したから、スタンド部を構成する脚部と支柱部および棚部を構成する棚枠をロールフォーミング加工により形成することによって、それぞれの板厚をあげることなく、またシーム溶接などを施すことなく必要な機械的強度を得ることができ、揺れを防止することができる。また、各部材を螺合のみにより締結することができ、加工、組立の各工程においての取扱い、搬送も部品単体にて可能となり、ユニット状態の大きな部材の搬送が不必要となり、作業性が低下するのを防止することができ、さらに、分解性を向上できてリサイクル性を容易にし、環境に対する配慮された構成を実現することができるとともに、調整脚板によりロールフォーミング加工により形成される開口部を有する脚部の補強を兼ねることができ、調整脚を螺合する調整脚板を爪部係合のみにて固定することができ、かつ脚部前端の鋭利な金属端面開口部を封止するキャップの固定も兼ねた構成を可能とすることができる。
【図面の簡単な説明】
【図１】本発明の第１の実施例の乾燥機等の設置台の斜視図
【図２】同乾燥機等の設置台の一部切欠した分解斜視図
【図３】本発明の第２の実施例の乾燥機等の設置台の棚枠の要部斜視図
【図４】同乾燥機等の設置台の棚部の一部切欠した分解斜視図
【図５】同乾燥機等の設置台の棚部の一例の要部断面図
【図６】同乾燥機等の設置台の棚部の他の例の要部断面図
【図７】本発明の第３の実施例の乾燥機等の設置台の棚枠と継ぎ板の固定締結を示す要部断面図
【図８】同乾燥機等の設置台の棚枠と継ぎ板の仮固定状態を示す要部断面図
【図９】本発明の第４の実施例の乾燥機等の設置台の支柱部と脚部の固定締結を示す要部断面図
【図１０】本発明の第５の実施例の乾燥機等の設置台のキャップの固定状態の一例を示す要部断面図
【図１１】同乾燥機等の設置台のキャップの固定状態の他の例を示す要部断面図
【図１２】従来の乾燥機等の設置台の斜視図
【図１３】同乾燥機等の設置台の要部断面図
【符号の説明】
１５  スタンド部
１６  支柱部
１７  脚部
１９  継ぎ板
２３  棚部
２４  棚枠
２５  取付穴
２６  棚板
２７  後桟
２８  横桟部
２９  キャップ
３０  調整脚板（補強板）
３３  略Ｌ字状補強板（補強板）
【図１】
0003629812.tif 000002
【図２】
0003629812.tif 000003
【図３】
0003629812.tif 000004
【図４】
0003629812.tif 000005
【図５】
0003629812.tif 000006
【図６】
0003629812.tif 000007
【図７】
0003629812.tif 000008
【図８】
0003629812.tif 000009
【図９】
0003629812.tif 000010
【図１０】
0003629812.tif 000011
【図１１】
0003629812.tif 000012
【図１２】
0003629812.tif 000013
【図１３】
0003629812.tif 000014